(57)【要約】【課題】空気調和装置の室内機に適用される配管用隙間カバーにおいて、ケーシングと保護カバーとの隙間を完全に目隠しできるようにするとともに、見栄えを良くする。【解決手段】配管用隙間カバー１は、取付ベース２とカバー片３とから構成されている。カバー片３は、カバー本体３１とケーシング係合片３２とを有している。ケーシング係合片３２は、配管が室内機のケーシングの左下部から左横へ導出される場合等であって接続口が曲面形状になっている場合における接続口の曲面形状に適合する第１係合部３２ａと、配管が室内機のケーシングの右下部から右横へ導出される場合等であって接続口が曲面形状になっている場合における接続口の曲面形状に適合する第２係合部３２ｂとを有している。カバー本体３１と第１係合部３２ａおよび第２係合部３２ｂとの境界にそれぞれ切断部３２ｃ、３２ｄが設けられている。【選択図】図１
2013190086.tif 000002
【特許請求の範囲】
【請求項１】
壁面に取り付けられた機器のケーシングと、このケーシングの下部の接続口から導出された配管を覆う保護カバーとの隙間を覆う配管用隙間カバーであって、
前記壁面に固定される略コ字断面形状の取付ベースと、この取付ベースに着脱自在に取り付けられる略コ字断面形状のカバー片とから構成され、
前記カバー片は、前記取付ベースに着脱自在に取り付けられるカバー本体と、このカバー本体に連設されたケーシング係合片とを有し、
前記ケーシング係合片は、前記配管が前記ケーシングの左下部から左横へ導出される場合または右下部から下方へ導出される場合であって前記接続口が曲面形状になっている場合における当該接続口の曲面形状に適合する第１係合部と、前記配管が前記ケーシングの右下部から右横へ導出される場合または左下部から下方へ導出される場合であって前記接続口が曲面形状になっている場合における当該接続口の曲面形状に適合する第２係合部とを有し、
前記カバー本体と前記第１係合部および前記第２係合部との境界にはそれぞれ、前記カバー本体から前記第１係合部および／または前記第２係合部を切り落とすための切断部が設けられていることを特徴とする配管用隙間カバー。
【請求項２】
前記２つの切断部は、同一平面上に設けられていることを特徴とする請求項１に記載の配管用隙間カバー。
【請求項３】
前記２つの切断部にはそれぞれ、前記第１係合部および前記第２係合部を前記カバー本体から切り落とす切断ガイド溝が形成されていることを特徴とする請求項１または２に記載の配管用隙間カバー。
【請求項４】
前記ケーシング係合片は、前記カバー本体より薄くて柔軟性を有していることを特徴とする請求項１乃至３のいずれかに記載の配管用隙間カバー。
【請求項５】
前記取付ベースには、前記接続口に対して前記カバー本体を所定の位置に設置するための位置決め片が設けられていることを特徴とする請求項１乃至４のいずれかに記載の配管用隙間カバー。
【発明の詳細な説明】
【技術分野】
【０００１】
本発明は、例えば、空気調和装置（エアコン）の室内機など、壁面に取り付けられた機器に適用するのに好適な配管用隙間カバー（端末化粧カバー）に関するものである。
【背景技術】
【０００２】
従来、この種の機器を壁面に取り付ける際には、機器のケーシングと、このケーシングの下部の接続口から導出された配管を覆う保護カバーとの間に、若干の隙間が生じてしまう場合がある。この場合、この隙間を配管用隙間カバーで覆って目隠しすることが実施されている。
【０００３】
ところが、機器のケーシングの下部の左右両端部が曲面形状になっている場合には、接続口も曲面形状に形成される。そして、ケーシングのどの位置（左下部、右下部）からどちら向き（左右方向、上下方向）に配管を導出するかは、施工現場ごとに異なってくる。したがって、ケーシングの右下部から右横へ導出する場合とケーシングの左下部から下方へ導出する場合とで共通して使えるとともに、ケーシングの左下部から左横へ導出する場合とケーシングの右下部から下方へ導出する場合とで共通して使えるとしても、接続口の曲面形状に沿う部分が左右いずれか一方に突出した２種類の配管用隙間カバーを用意しなければならない。さらに、接続口が平面形状である場合にも対応可能とするためには、３種類の配管用隙間カバーを用意しなければならない。その結果、配管用隙間カバーの製品管理が煩雑になる。
【０００４】
そこで、こうした不都合を回避すべく、配管用隙間カバーに軟質カバー部を設け、配管用隙間カバーを取り付ける際に、接続口の形状を問わず、ケーシングと保護カバーとの隙間を軟質カバー部で閉止しようとする技術が提案されている（例えば、特許文献１参照）。
【先行技術文献】
【特許文献】
【０００５】
【特許文献１】特許第４６７１５５８号公報（段落〔０００２〕〔０００３〕〔０００５〕の欄）
【発明の概要】
【発明が解決しようとする課題】
【０００６】
しかしながら、このような技術では、ケーシングと保護カバーとの隙間を配管用隙間カバーの軟質カバー部で閉止すると、軟質カバー部に多少しわが寄る場合がある。この場合、配管用隙間カバーの見栄えが良くないことに加えて、配管用隙間カバーを用いても、ケーシングと保護カバーとの隙間を覆いきれず、配管用隙間カバーによる目隠しが不完全になる。その結果、長期にわたって使用していると、ケーシングや保護カバーの周辺の塵埃が保護カバー内に入り込んで堆積する恐れがある。
【０００７】
本発明は、このような事情に鑑み、見栄えが良好であるとともに、ケーシングと保護カバーとの隙間を完全に目隠しできる配管用隙間カバーを提供することを目的とする。
【課題を解決するための手段】
【０００８】
かかる目的を達成するため、請求項１に記載の発明は、壁面に取り付けられた機器のケーシングと、このケーシングの下部の接続口から導出された配管を覆う保護カバーとの隙間を覆う配管用隙間カバーであって、前記壁面に固定される略コ字断面形状の取付ベースと、この取付ベースに着脱自在に取り付けられる略コ字断面形状のカバー片とから構成され、前記カバー片は、前記取付ベースに着脱自在に取り付けられるカバー本体と、このカバー本体に連設されたケーシング係合片とを有し、前記ケーシング係合片は、前記配管が前記ケーシングの左下部から左横へ導出される場合または右下部から下方へ導出される場合であって前記接続口が曲面形状になっている場合における当該接続口の曲面形状に適合する第１係合部と、前記配管が前記ケーシングの右下部から右横へ導出される場合または左下部から下方へ導出される場合であって前記接続口が曲面形状になっている場合における当該接続口の曲面形状に適合する第２係合部とを有し、前記カバー本体と前記第１係合部および前記第２係合部との境界にはそれぞれ、前記カバー本体から前記第１係合部および／または前記第２係合部を切り落とすための切断部が設けられている配管用隙間カバーとしたことを特徴とする。
【０００９】
また、請求項２に記載の発明は、請求項１に記載の構成に加え、前記２つの切断部は、同一平面上に設けられていることを特徴とする。
【００１０】
また、請求項３に記載の発明は、請求項１または２に記載の構成に加え、前記２つの切断部にはそれぞれ、前記第１係合部および前記第２係合部を前記カバー本体から切り落とす切断ガイド溝が形成されていることを特徴とする。
【００１１】
また、請求項４に記載の発明は、請求項１乃至３のいずれかに記載の構成に加え、前記ケーシング係合片は、前記カバー本体より薄くて柔軟性を有していることを特徴とする。
【００１２】
また、請求項５に記載の発明は、請求項１乃至４のいずれかに記載の構成に加え、前記取付ベースには、前記接続口に対して前記カバー本体を所定の位置に設置するための位置決め片が設けられていることを特徴とする。
【発明の効果】
【００１３】
請求項１に記載の発明によれば、ケーシング係合片が第１係合部および第２係合部を有している。したがって、機器の接続口が曲面形状になっていても、切断部を切断してケーシング係合片の第１係合部または第２係合部をカバー本体から切り落とすことにより、配管がケーシングのどの位置からどちら向きに導出される場合であっても、ケーシングと保護カバーとの隙間を配管用隙間カバーで完全に目隠しすることができる。その結果、機器を長期にわたって使用しても、ケーシングや保護カバーの周辺の塵埃が保護カバー内に入り込んで堆積する事態を回避することが可能となる。
【００１４】
しかも、ケーシング係合片の第１係合部は、配管がケーシングの左下部から左横へ導出される場合または右下部から下方へ導出される場合であって接続口が曲面形状になっている場合における接続口の曲面形状に適合するとともに、ケーシング係合片の第２係合部は、配管がケーシングの右下部から右横へ導出される場合または左下部から下方へ導出される場合であって接続口が曲面形状になっている場合における接続口の曲面形状に適合している。したがって、配管用隙間カバーにしわが寄る事態は生じず、配管用隙間カバーの見栄えを良くすることが可能となる。
【００１５】
請求項２に記載の発明によれば、２つの切断部が同一平面上に設けられているので、第１係合部と第２係合部の両方をカバー本体から切り落とすと、その切り口が平面形状になる。したがって、接続口が平面形状になっている場合には、第１係合部と第２係合部の両方をカバー本体から切り落とすことにより、この平面形状の接続口に配管用隙間カバーを隙間なく接続することができる。
【００１６】
請求項３に記載の発明によれば、２つの切断部にそれぞれ切断ガイド溝が形成されているので、これらの切断部を切断しやすくなり、ひいては配管用隙間カバーの取付作業を迅速に行うことが可能となる。
【００１７】
請求項４に記載の発明によれば、ケーシング係合片がカバー本体より薄くて柔軟性を有しているので、配管用隙間カバーを接続口に一層精度よく適合させることができる。
【００１８】
請求項５に記載の発明によれば、取付ベースに位置決め片が設けられているので、接続口に対してカバー本体を所定の位置に設置し、ひいては配管用隙間カバーを正確に取り付けることができる。
【図面の簡単な説明】
【００１９】
【図１】本発明の実施の形態１に係る配管用隙間カバーを示す図であって、（ａ）はその前方斜め上から見た斜視図、（ｂ）はその後方斜め上から見た斜視図、（ｃ）はその平面図である。
【図２】図１に示す配管用隙間カバーの一方（右側）のケーシング係合片および位置決め片を切断する様子を示す斜視図である。
【図３】図１に示す配管用隙間カバーの一方（右側）のケーシング係合片および位置決め片が切断された状態を示す図であって、（ａ）はその前方斜め上から見た斜視図、（ｂ）はその後方斜め上から見た斜視図、（ｃ）はその平面図である。
【図４】図１に示す配管用隙間カバーの他方（左側）のケーシング係合片および位置決め片が切断された状態を示す図であって、（ａ）はその前方斜め上から見た斜視図、（ｂ）はその後方斜め上から見た斜視図、（ｃ）はその平面図である。
【図５】図１に示す配管用隙間カバーの両方（左右両側）のケーシング係合片および位置決め片が切断された状態を示す図であって、（ａ）はその前方斜め上から見た斜視図、（ｂ）はその後方斜め上から見た斜視図、（ｃ）はその平面図、（ｄ）はその正面図、（ｅ）はその右側面図である。
【図６】図１に示す配管用隙間カバーを室内機の右下部から右横へ向けて取り付ける場合の手順を示す図であって、（ａ）は配管用隙間カバーの取付ベースが壁面に固定された状態を示す図、（ｂ）はその取付ベースに直管型の配管ダクトの取付ベースが接続された状態を示す図である。
【図７】図１に示す配管用隙間カバーを室内機の右下部から右横へ向けて取り付けた状態を示す分解斜視図である。
【図８】図１に示す配管用隙間カバーを室内機の右下部から右横へ向けて取り付けた状態を示す組立斜視図である。
【図９】図１に示す配管用隙間カバーを室内機の左下部から下方へ向けて取り付ける場合の手順を示す図であって、（ａ）は配管用隙間カバーの取付ベースが壁面に固定された状態を示す図、（ｂ）はその取付ベースに直管型の配管ダクトの取付ベースが接続された状態を示す図である。
【図１０】図１に示す配管用隙間カバーを室内機の左下部から左横へ向けて取り付ける場合の手順を示す図であって、（ａ）は配管用隙間カバーの取付ベースが壁面に固定された状態を示す図、（ｂ）はその取付ベースに直管型の配管ダクトの取付ベースが接続された状態を示す図である。
【図１１】図１に示す配管用隙間カバーを室内機の右下部から下方へ向けて取り付ける場合の手順を示す図であって、（ａ）は配管用隙間カバーの取付ベースが壁面に固定された状態を示す図、（ｂ）はその取付ベースに直管型の配管ダクトの取付ベースが接続された状態を示す図である。
【発明を実施するための形態】
【００２０】
以下、本発明の実施の形態について説明する。
［発明の実施の形態１］
【００２１】
図１乃至図１１には、本発明の実施の形態１を示す。
【００２２】
実施の形態１に係る配管用隙間カバー１は、図７および図８に示すように、壁面に取り付けられた室内機６のケーシング６ａと、このケーシング６ａの下部の接続口６ｂから導出された配管８を覆う配管ダクト７との隙間を覆うものであり、合成樹脂から成形されている。この合成樹脂としては、例えば、ＡＥＳ樹脂、ＡＢＳ樹脂、ＡＳＡ樹脂、ＡＣＳ樹脂、ポリエチレン、ポリプロピレン、ポリカーボネートなどが挙げられる。この配管用隙間カバー１は、図１に示すように、略コ字断面形状の取付ベース２と、この取付ベース２に爪係止方式で着脱自在に取り付けられる略コ字断面形状のカバー片３とから構成されている。すなわち、取付ベース２に一対の係止溝２ｅが形成されているとともに、カバー片３に一対の係止爪３１ａが形成されており、一対の係止溝２ｅが一対の係止爪３１ａに係合することにより、取付ベース２とカバー片３とが互いに連結された状態になるとともに、一対の係止溝２ｅに対する一対の係止爪３１ａの係合が解除されることにより、取付ベース２とカバー片３との連結が解除された状態になる。
【００２３】
取付ベース２は、図１に示すように、底板２ａを有しており、底板２ａのほぼ中央部には、配管方向（矢印Ｘ方向）に延びる長円形のねじ孔２ｂが形成されている。また、底板２ａの前側には、左右一対の位置決め片２ｃがそれぞれ切断部２ｄを介して連設されている。
【００２４】
カバー片３は、図１に示すように、取付ベース２に着脱自在に取り付けられる略コ字断面形状のカバー本体３１と、このカバー本体３１に連設されたケーシング係合片３２とから構成されている。
【００２５】
このケーシング係合片３２は、カバー本体３１より薄くて柔軟性を有しており、図１に示すように、第１係合部３２ａおよび第２係合部３２ｂを有している。ここで、第１係合部３２ａは、図１０および図１１に示すように、配管８が室内機６のケーシング６ａの左下部から左横へ導出される場合または右下部から下方へ導出される場合であって室内機６の接続口６ｄ、６ｅが曲面形状になっている場合における接続口６ｄ、６ｅの曲面形状に適合している。一方、第２係合部３２ｂは、図６および図９に示すように、配管８が室内機６のケーシング６ａの右下部から右横へ導出される場合または左下部から下方へ導出される場合であって室内機６の接続口６ｂ、６ｃが曲面形状になっている場合における接続口６ｂ、６ｃの曲面形状に適合している。
【００２６】
また、カバー本体３１とケーシング係合片３２の第１係合部３２ａおよび第２係合部３２ｂとの境界には、それぞれ切断部３２ｃ、３２ｄが設けられている。これら２つの切断部３２ｃ、３２ｄにはそれぞれ、第１係合部３２ａおよび第２係合部３２ｂをカバー本体３１から切り落とす切断ガイド溝３３、３４が形成されている。なお、これら２つの切断部３２ｃ、３２ｄは、同一平面（配管方向に直交する平面）上に設けられている。
【００２７】
次に、この配管用隙間カバー１の使用方法について説明する。
【００２８】
すなわち、図８に示すように、空気調和装置の室内機６のケーシング６ａの右下部に接続口６ｂが曲面形状に形成され、この接続口６ｂから右横へ配管８が導出されて配管ダクト７で覆われる施工現場４において、配管８を見栄えよく施工する際には、次の手順により、室内機６のケーシング６ａと配管ダクト７との隙間を配管用隙間カバー１で覆って目隠しする。
【００２９】
この配管ダクト７は、合成樹脂から成形されており、図７に示すように、略コ字断面形状の取付ベース７１と、この取付ベース７１に爪係止方式で着脱自在に取り付けられる略コ字断面形状のカバー片７２とから構成されている。すなわち、取付ベース７１に一対の係止溝７１ａが形成されているとともに、カバー片７２に一対の係止爪７２ａが形成されており、一対の係止溝７１ａが一対の係止爪７２ａに係合することにより、取付ベース７１とカバー片７２とが互いに連結された状態になるとともに、一対の係止溝７１ａに対する一対の係止爪７２ａの係合が解除されることにより、取付ベース７１とカバー片７２との連結が解除された状態になる。
【００３０】
まず、カバー準備工程で、室内機６の接続口６ｂの位置および形状に応じて、配管用隙間カバー１のケーシング係合片３２の第１係合部３２ａと第２係合部３２ｂのいずれか一方または双方をカバー本体３１から切り落とすとともに、それに対応した位置決め片２ｃを取付ベース２の底板２ａから切り落とす。ここでは、図８に示すように、配管８の導出方向に合わせて、配管ダクト７を室内機６の接続口６ｂから右横へ向けて取り付ける必要があるので、ケーシング係合片３２の第１係合部３２ａのみを切り落とす。それには、図２に示すように、カッターナイフ５を用いて、配管用隙間カバー１の切断部３２ｃを切断して第１係合部３２ａを切り落とす。また、取付ベース２において、ケーシング係合片３２の第１係合部３２ａに対応した切断部２ｄをカッターナイフ５で切断して一方の位置決め片２ｃを切り落とす。すると、図３に示すように、第１係合部３２ａが切り落とされて第２係合部３２ｂが残されたカバー片３が得られるとともに、一方（第１係合部３２ａに対応する側）の位置決め片２ｃが切り落とされて他方（第２係合部３２ｂに対応する側）の位置決め片２ｃが残された取付ベース２が得られる。
【００３１】
このとき、切断部３２ｃには、上述したとおり、切断ガイド溝３３が形成されているので、この切断部３２ｃを切断しやすくなり、ひいては配管用隙間カバー１の取付作業を迅速に行うことが可能となる。
【００３２】
次いで、第１ベース取付工程に移行し、図６（ａ）に示すように、壁面の所定の位置に配管用隙間カバー１の取付ベース２をねじ（図示せず）で固定する。それには、取付ベース２の底板２ａを壁面に宛い、この状態で、取付ベース２のねじ孔２ｂにねじを挿通して壁面にねじ込む。
【００３３】
このとき、取付ベース２には位置決め片２ｃが設けられているので、図６（ａ）に示すように、この位置決め片２ｃを室内機６のケーシング６ａに当てることにより、室内機６の接続口６ｂに対して取付ベース２を所定の位置に正確に取り付けることができる。また、取付ベース２のねじ孔２ｂが配管方向（ここでは、左右方向）に延びる長円形に形成されているので、取付ベース２を配管方向に微調整することが容易となる。
【００３４】
次に、第２ベース取付工程に移行し、図６（ｂ）に示すように、この配管用隙間カバー１の取付ベース２の右側に接続する形で配管ダクト７の取付ベース７１を壁面の所定の位置にねじ（図示せず）で固定する。
【００３５】
その後、配管工程に移行し、図７に示すように、これらの取付ベース２、７１に沿って配管８を配設する。
【００３６】
次いで、第１カバー取付工程に移行し、図７に示すように、この配管８を覆うように、配管ダクト７のカバー片７２を取付ベース７１に取り付ける。
【００３７】
最後に、第２カバー取付工程に移行し、図８に示すように、この配管ダクト７のカバー片７２と室内機６のケーシング６ａとの隙間を覆い隠すように、配管用隙間カバー１のカバー片３を取付ベース２に取り付ける。
【００３８】
このとき、取付ベース２は、上述したとおり、室内機６の接続口６ｂに対して所定の位置に正確に取り付けられているので、カバー本体３１を所定の位置に設置し、ひいては配管用隙間カバー１を正確に取り付けることができる。
【００３９】
これで、室内機６のケーシング６ａと配管ダクト７との隙間が配管用隙間カバー１で完全に目隠しされた状態となり、ここで配管８の施工が終了する。
【００４０】
また、図９に示すように、空気調和装置の室内機６のケーシング６ａの左下部に接続口６ｃが曲面形状に形成され、この接続口６ｃから下方へ配管８が導出されて配管ダクト７で覆われる施工現場４において、配管８を見栄えよく施工する際には、次の手順により、室内機６のケーシング６ａと配管ダクト７との隙間を配管用隙間カバー１で覆って目隠しする。
【００４１】
まず、カバー準備工程で、室内機６の接続口６ｃの位置および形状に応じて、配管用隙間カバー１のケーシング係合片３２の第１係合部３２ａと第２係合部３２ｂのいずれか一方または双方をカバー本体３１から切り落とすとともに、それに対応した位置決め片２ｃを取付ベース２の底板２ａから切り落とす。ここでは、図９（ｂ）に示すように、配管８の導出方向に合わせて、配管ダクト７を室内機６の接続口６ｃから下方へ向けて取り付ける必要があるので、上述した手順（配管ダクト７を室内機６の接続口６ｂから右横へ向けて取り付ける場合の手順）と同様にして、ケーシング係合片３２の第１係合部３２ａのみを切り落とす。また、取付ベース２において、ケーシング係合片３２の第１係合部３２ａに対応した切断部２ｄをカッターナイフ５で切断して一方の位置決め片２ｃを切り落とす。すると、図３に示すように、第１係合部３２ａが切り落とされて第２係合部３２ｂが残されたカバー片３が得られるとともに、一方（第１係合部３２ａに対応する側）の位置決め片２ｃが切り落とされて他方（第２係合部３２ｂに対応する側）の位置決め片２ｃが残された取付ベース２が得られる。
【００４２】
このとき、切断部３２ｃには、切断ガイド溝３３が形成されているので、この切断部３２ｃを切断しやすくなり、ひいては配管用隙間カバー１の取付作業を迅速に行うことが可能となる。
【００４３】
次いで、第１ベース取付工程に移行し、図９（ａ）に示すように、壁面の所定の位置に配管用隙間カバー１の取付ベース２をねじ（図示せず）で固定する。それには、取付ベース２の底板２ａを壁面に宛い、この状態で、取付ベース２のねじ孔２ｂにねじを挿通して壁面にねじ込む。
【００４４】
このとき、取付ベース２には位置決め片２ｃが設けられているので、図９（ａ）に示すように、この位置決め片２ｃを室内機６のケーシング６ａに当てることにより、室内機６の接続口６ｃに対して取付ベース２を所定の位置に正確に取り付けることができる。また、取付ベース２のねじ孔２ｂが配管方向（ここでは、上下方向）に延びる長円形に形成されているので、取付ベース２を配管方向に微調整することが容易となる。
【００４５】
次に、第２ベース取付工程に移行し、図９（ｂ）に示すように、この配管用隙間カバー１の取付ベース２の下側に接続する形で配管ダクト７の取付ベース７１を壁面の所定の位置にねじ（図示せず）で固定する。
【００４６】
その後、配管工程に移行し、これらの取付ベース２、７１に沿って配管８を配設する。
【００４７】
次いで、第１カバー取付工程に移行し、この配管８を覆うように、配管ダクト７のカバー片７２を取付ベース７１に取り付ける。
【００４８】
最後に、第２カバー取付工程に移行し、この配管ダクト７のカバー片７２と室内機６のケーシング６ａとの隙間を覆い隠すように、配管用隙間カバー１のカバー片３を取付ベース２に取り付ける。
【００４９】
このとき、取付ベース２は、上述したとおり、室内機６の接続口６ｃに対して所定の位置に正確に取り付けられているので、カバー本体３１を所定の位置に設置し、ひいては配管用隙間カバー１を正確に取り付けることができる。
【００５０】
これで、室内機６のケーシング６ａと配管ダクト７との隙間が配管用隙間カバー１で完全に目隠しされた状態となり、ここで配管８の施工が終了する。
【００５１】
このように、配管用隙間カバー１を用いれば、室内機６の接続口６ｂ、６ｃが曲面形状になっていても、ケーシング係合片３２の第１係合部３２ａのみをカバー本体３１から切り落とすことにより、配管８がケーシング６ａの右下部から右横へ導出される場合であっても、配管８がケーシング６ａの左下部から下方へ導出される場合であっても、ケーシング６ａと配管ダクト７との隙間を配管用隙間カバー１で完全に目隠しすることができる。その結果、室内機６を長期にわたって使用しても、ケーシング６ａや配管ダクト７の周辺の塵埃が配管ダクト７内に入り込んで堆積する事態を回避することが可能となる。
【００５２】
しかも、カバー本体３１から切り落とされることなくケーシング係合片３２に残された第２係合部３２ｂは、配管８がケーシング６ａの右下部から右横へ導出される場合または左下部から下方へ導出される場合であって接続口６ｂ、６ｃが曲面形状になっている場合における接続口６ｂ、６ｃの曲面形状に適合している。したがって、配管用隙間カバー１にしわが寄る事態は生じず、配管用隙間カバー１の見栄えを良くすることが可能となる。
【００５３】
さらに、ケーシング係合片３２は、上述したとおり、カバー本体３１より薄くて柔軟性を有しているので、配管用隙間カバー１を接続口６ｂ、６ｃに一層精度よく適合させることができる。
【００５４】
他方、図１０に示すように、空気調和装置の室内機６のケーシング６ａの左下部に接続口６ｄが曲面形状に形成され、この接続口６ｄから左横へ配管８が導出されて配管ダクト７で覆われる施工現場４において、配管８を見栄えよく施工する際には、次の手順により、室内機６のケーシング６ａと配管ダクト７との隙間を配管用隙間カバー１で覆って目隠しする。
【００５５】
まず、カバー準備工程で、室内機６の接続口６ｄの位置および形状に応じて、配管用隙間カバー１のケーシング係合片３２の第１係合部３２ａと第２係合部３２ｂのいずれか一方または双方をカバー本体３１から切り落とすとともに、それに対応した位置決め片２ｃを取付ベース２の底板２ａから切り落とす。ここでは、図１０（ｂ）に示すように、配管８の導出方向に合わせて、配管ダクト７を室内機６の接続口６ｄから左横へ向けて取り付ける必要があるので、ケーシング係合片３２の第２係合部３２ｂのみを切り落とす。それには、カッターナイフ５を用いて、配管用隙間カバー１の切断部３２ｄを切断して第２係合部３２ｂを切り落とす。また、取付ベース２において、ケーシング係合片３２の第２係合部３２ｂに対応した切断部２ｄをカッターナイフ５で切断して他方の位置決め片２ｃを切り落とす。すると、図４に示すように、第１係合部３２ａが残されて第２係合部３２ｂが切り落とされたカバー片３が得られるとともに、一方（第１係合部３２ａに対応する側）の位置決め片２ｃが残されて他方（第２係合部３２ｂに対応する側）の位置決め片２ｃが切り落とされた取付ベース２が得られる。
【００５６】
このとき、切断部３２ｄには、上述したとおり、切断ガイド溝３４が形成されているので、この切断部３２ｄを切断しやすくなり、ひいては配管用隙間カバー１の取付作業を迅速に行うことが可能となる。
【００５７】
次いで、第１ベース取付工程に移行し、図１０（ａ）に示すように、壁面の所定の位置に配管用隙間カバー１の取付ベース２をねじ（図示せず）で固定する。それには、取付ベース２の底板２ａを壁面に宛い、この状態で、取付ベース２のねじ孔２ｂにねじを挿通して壁面にねじ込む。
【００５８】
このとき、取付ベース２には位置決め片２ｃが設けられているので、図１０（ａ）に示すように、この位置決め片２ｃを室内機６のケーシング６ａに当てることにより、室内機６の接続口６ｄに対して取付ベース２を所定の位置に正確に取り付けることができる。また、取付ベース２のねじ孔２ｂが配管方向（ここでは、左右方向）に延びる長円形に形成されているので、取付ベース２を配管方向に微調整することが容易となる。
【００５９】
次に、第２ベース取付工程に移行し、図１０（ｂ）に示すように、この配管用隙間カバー１の取付ベース２の左側に接続する形で配管ダクト７の取付ベース７１を壁面の所定の位置にねじ（図示せず）で固定する。
【００６０】
その後、配管工程に移行し、これらの取付ベース２、７１に沿って配管８を配設する。
【００６１】
次いで、第１カバー取付工程に移行し、この配管８を覆うように、配管ダクト７のカバー片７２を取付ベース７１に取り付ける。
【００６２】
最後に、第２カバー取付工程に移行し、この配管ダクト７のカバー片７２と室内機６のケーシング６ａとの隙間を覆い隠すように、配管用隙間カバー１のカバー片３を取付ベース２に取り付ける。
【００６３】
このとき、取付ベース２は、上述したとおり、室内機６の接続口６ｄに対して所定の位置に正確に取り付けられているので、カバー本体３１を所定の位置に設置し、ひいては配管用隙間カバー１を正確に取り付けることができる。
【００６４】
これで、室内機６のケーシング６ａと配管ダクト７との隙間が配管用隙間カバー１で完全に目隠しされた状態となり、ここで配管８の施工が終了する。
【００６５】
また、図１１に示すように、空気調和装置の室内機６のケーシング６ａの右下部に接続口６ｅが曲面形状に形成され、この接続口６ｅから下方へ配管８が導出されて配管ダクト７で覆われる施工現場４において、配管８を見栄えよく施工する際には、次の手順により、室内機６のケーシング６ａと配管ダクト７との隙間を配管用隙間カバー１で覆って目隠しする。
【００６６】
まず、カバー準備工程で、室内機６の接続口６ｅの位置および形状に応じて、配管用隙間カバー１のケーシング係合片３２の第１係合部３２ａと第２係合部３２ｂのいずれか一方または双方をカバー本体３１から切り落とすとともに、それに対応した位置決め片２ｃを取付ベース２の底板２ａから切り落とす。ここでは、図１１（ｂ）に示すように、配管８の導出方向に合わせて、配管ダクト７を室内機６の接続口６ｅから下方へ向けて取り付ける必要があるので、上述した手順（配管ダクト７を室内機６の接続口６ｅから左横へ向けて取り付ける場合の手順）と同様にして、ケーシング係合片３２の第２係合部３２ｂのみを切り落とす。また、取付ベース２において、ケーシング係合片３２の第２係合部３２ｂに対応した切断部２ｄをカッターナイフ５で切断して他方の位置決め片２ｃを切り落とす。すると、図４に示すように、第１係合部３２ａが残されて第２係合部３２ｂが切り落とされたカバー片３が得られるとともに、一方（第１係合部３２ａに対応する側）の位置決め片２ｃが残されて他方（第２係合部３２ｂに対応する側）の位置決め片２ｃが切り落とされた取付ベース２が得られる。
【００６７】
このとき、切断部３２ｄには、上述したとおり、切断ガイド溝３４が形成されているので、この切断部３２ｄを切断しやすくなり、ひいては配管用隙間カバー１の取付作業を迅速に行うことが可能となる。
【００６８】
次いで、第１ベース取付工程に移行し、図１１（ａ）に示すように、壁面の所定の位置に配管用隙間カバー１の取付ベース２をねじ（図示せず）で固定する。それには、取付ベース２の底板２ａを壁面に宛い、この状態で、取付ベース２のねじ孔２ｂにねじを挿通して壁面にねじ込む。
【００６９】
このとき、取付ベース２には位置決め片２ｃが設けられているので、図１１（ａ）に示すように、この位置決め片２ｃを室内機６のケーシング６ａに当てることにより、室内機６の接続口６ｅに対して取付ベース２を所定の位置に正確に取り付けることができる。また、取付ベース２のねじ孔２ｂが配管方向（ここでは、上下方向）に延びる長円形に形成されているので、取付ベース２を配管方向に微調整することが容易となる。
【００７０】
次に、第２ベース取付工程に移行し、図１１（ｂ）に示すように、この配管用隙間カバー１の取付ベース２の下側に接続する形で配管ダクト７の取付ベース７１を壁面の所定の位置にねじ（図示せず）で固定する。
【００７１】
その後、配管工程に移行し、これらの取付ベース２、７１に沿って配管８を配設する。
【００７２】
次いで、第１カバー取付工程に移行し、この配管８を覆うように、配管ダクト７のカバー片７２を取付ベース７１に取り付ける。
【００７３】
最後に、第２カバー取付工程に移行し、この配管ダクト７のカバー片７２と室内機６のケーシング６ａとの隙間を覆い隠すように、配管用隙間カバー１のカバー片３を取付ベース２に取り付ける。
【００７４】
このとき、取付ベース２は、上述したとおり、室内機６の接続口６ｅに対して所定の位置に正確に取り付けられているので、カバー本体３１を所定の位置に設置し、ひいては配管用隙間カバー１を正確に取り付けることができる。
【００７５】
これで、室内機６のケーシング６ａと配管ダクト７との隙間が配管用隙間カバー１で完全に目隠しされた状態となり、ここで配管８の施工が終了する。
【００７６】
このように、配管用隙間カバー１を用いれば、室内機６の接続口６ｄ、６ｅが曲面形状になっていても、ケーシング係合片３２の第２係合部３２ｂのみをカバー本体３１から切り落とすことにより、配管８がケーシング６ａの右下部から下方へ導出される場合であっても、配管８がケーシング６ａの左下部から左横へ導出される場合であっても、ケーシング６ａと配管ダクト７との隙間を配管用隙間カバー１で完全に目隠しすることができる。その結果、室内機６を長期にわたって使用しても、ケーシング６ａや配管ダクト７の周辺の塵埃が配管ダクト７内に入り込んで堆積する事態を回避することが可能となる。
【００７７】
しかも、カバー本体３１から切り落とされることなくケーシング係合片３２に残された第１係合部３２ａは、配管８がケーシング６ａの左下部から左横へ導出される場合または右下部から下方へ導出される場合であって接続口６ｄ、６ｅが曲面形状になっている場合における接続口６ｄ、６ｅの曲面形状に適合している。したがって、配管用隙間カバー１にしわが寄る事態は生じず、配管用隙間カバー１の見栄えを良くすることが可能となる。
【００７８】
さらに、ケーシング係合片３２は、上述したとおり、カバー本体３１より薄くて柔軟性を有しているので、配管用隙間カバー１を接続口６ｄ、６ｅに一層精度よく適合させることができる。
【００７９】
さらに、配管用隙間カバー１を用いれば、室内機６の接続口６ｄ、６ｅが平面形状になっていても、図５に示すように、ケーシング係合片３２の第１係合部３２ａと第２係合部３２ｂの両方をカバー本体３１から切り落とすことにより、ケーシング６ａと配管ダクト７との隙間を配管用隙間カバー１で完全に目隠しすることができる。その結果、室内機６を長期にわたって使用しても、ケーシング６ａや配管ダクト７の周辺の塵埃が配管ダクト７内に入り込んで堆積する事態を回避することが可能となる。
【００８０】
このとき、ケーシング係合片３２の２つの切断部３２ｃ、３２ｄは、上述したとおり、同一平面上に設けられているので、第１係合部３２ａと第２係合部３２ｂの両方をカバー本体３１から切り落とすと、その切り口が平面形状になる。したがって、室内機６の平面形状の接続口６ｄ、６ｅに配管用隙間カバー１（カバー本体３１）を隙間なく接続することができる。
［発明のその他の実施の形態］
【００８１】
なお、上述した実施の形態１では、２つの切断部３２ｃ、３２ｄに切断ガイド溝３３、３４を形成することにより、これらの切断部３２ｃ、３２ｄを切断しやすくした配管用隙間カバー１について説明した。しかし、切断部３２ｃ、３２ｄを切断しやすくする必要がない場合や、他の手法によって切断部３２ｃ、３２ｄを切断しやすくできる場合には、これらの切断ガイド溝３３、３４を省くことも可能である。
【００８２】
また、上述した実施の形態１では、カッターナイフ５を用いて、カバー片３の第１係合部３２ａ、第２係合部３２ｂや、取付ベース２の位置決め片２ｃを切り落とす場合について説明したが、カッターナイフ５以外の切断手段（例えば、ニッパー、はさみ、のこぎりなど）を代用または併用することもできる。
【００８３】
また、上述した実施の形態１では、合成樹脂製の配管用隙間カバー１について説明したが、配管用隙間カバー１の材料は、合成樹脂に限るわけではない。例えば、金属（アルミニウム等の軟質のもの）などを配管用隙間カバー１の材料として採用することも可能である。
【００８４】
また、上述した実施の形態１では、室内機６のケーシング６ａに保護カバーとして直管型の配管ダクト７を接続する場合について説明した。しかし、室内機６のケーシング６ａに保護カバーとしてフレキシブルダクト（図示せず）を接続する場合に本発明を同様に適用することも勿論できる。
【００８５】
さらに、上述した実施の形態１では、空気調和装置の室内機６に配管用隙間カバー１を取り付ける場合について説明した。しかし、壁面に取り付けられる機器である限り、空気調和装置の室内機６以外の機器（例えば、給水器、給湯器など）に配管用隙間カバー１を取り付ける場合に本発明を同様に適用することも可能である。
【産業上の利用可能性】
【００８６】
本発明は、機器のケーシングと、このケーシングの接続口から導出された配管を覆う保護カバーとの隙間を覆う配管用隙間カバーに広く適用することができる。この配管としては、冷媒配管、ドレンホース、加湿ホース、給気ホース、排気ホース、給水配管、給湯配管、ガス管、電線など各種の配管が挙げられる。
【符号の説明】
【００８７】
１……配管用隙間カバー
２……取付ベース
２ｃ……位置決め片
２ｄ……切断部
３……カバー片
６……室内機（機器）
６ａ……ケーシング
６ｂ、６ｃ、６ｄ、６ｅ……接続口
７……配管ダクト（保護カバー）
８……配管
３１……カバー本体
３２……ケーシング係合片
３２ａ……第１係合部
３２ｂ……第２係合部
３２ｃ、３２ｄ……切断部
３３、３４……切断ガイド溝
【図１】
2013190086.tif 000003
【図２】
2013190086.tif 000004
【図３】
2013190086.tif 000005
【図４】
2013190086.tif 000006
【図５】
2013190086.tif 000007
【図６】
2013190086.tif 000008
【図７】
2013190086.tif 000009
【図８】
2013190086.tif 000010
【図９】
2013190086.tif 000011
【図１０】
2013190086.tif 000012
【図１１】
2013190086.tif 000013